Podtech/llm-jp-corpus-v4-ja_patent huggingface dataset:
(57)【要約】      （修正有）【課題】園芸の鉢、プランターの支柱が風で倒れず、花、野菜の茎が折れる被害の解消。【解決手段】鉢等の地面と鉢底の高さを調整するため支柱カバーパイプ１、２を伸縮の自在の構造とする。支柱の倒れ防止は、支柱カバーパイプ１、２の上面、下面に押えパッド３、４を設けて鉢等に入っている土２０を重しに活用することで、強い風でも支柱が倒れず、花、野菜の茎が折れる被害が解消できる。上面の押えパッド３の茎側の弓形の形態は、茎と支柱３０が極力、接触する事で一体となり、花等の見た目が、すっきりすると同時に風の被害を防止できる。押えパット３、４の穴６は排水をよくするための穴です。【選択図】図１
0003131002.tif 000002
【実用新案登録請求の範囲】
【請求項１】
園芸の鉢等に使用する、支柱の留め具の支柱カバーパイプの上面と下面に、押えパッドを設ける構造の支柱の留め具。
【請求項２】
請求項１において、上面の押えパッドの茎に触れる側は、弓形の形態をしている支柱の留め具。
【請求項３】
請求項１において、支柱カバーパイプは、伸縮自在であることを特徴とする支柱の留め具。
【考案の詳細な説明】
【技術分野】
【０００１】本考案は、鉢等に使用する支柱に関する。
【背景技術】
【０００２】従来の支柱は、鉢等に入っている土に直接つきさす。
【考案の開示】
【考案が解決しようとする課題】
【０００３】しかし、これでは支柱が細いので、風に対する押える抵抗力がなく、一寸した弱い風でも支柱が倒れて、花等の茎が折れる被害が発生しやすい。
【課題を解決するための手段】
【０００４】この考案は、そこで支柱カバーパイプ１，２を伸縮の自在の構造にして、且つ、支柱カバーパイプの上面、下面に押えパッド３，４を設ける。
又、上面の押えパッド３の茎側の形態は弓形にする。
【考案の効果】
【０００５】よって、本考案は支柱カバーパイプ１，２が伸縮の自在の構造にし、どんな鉢等の形態でも利用ができる。支柱カバーパイプ１，２の上面、下面に押えパッド３，４を設けて、鉢等の土２０を重しに活用するので、強い風でも支柱３０が倒れないので、花等の風による茎の折れる被害を防止できる。上面の押えパッド３の茎側を弓形の形態にした結果、花等Ｙの茎と一体になり、見た目が、すっきりで風に対する抵抗力がより一層、増す効果がある。
本考案は以上の如く、簡単な構造でしかも効果大なるものである。
【考案を実施するための最良の形態】
【０００６】本考案に係わる鉢等の支柱の留め具は、支柱３０を支柱カバーパイプに差し込んで利用します。支柱カバーパイプ１，２が伸縮の自在の構造にし、図１に示すように、とんな鉢等の形態にも対応ができる構造です。風による被害防止は支柱カバーパイプ１，２の上面、下面に押えパッド３，４を設けて、鉢１０に入っている土２０を重しに活用することで、強い風でも支柱３０は倒れません。
上面の押えパッド３の茎側の弓形の形態は、茎と支柱３０が極力、接触することで一体となり、花等が見た目が、すっきりで風に対する抵抗力がより一層、ます効果がある。押えパッドの穴は排水をよくするための穴です。素材は支柱カバーパイプは金属、押えパッド、キャップはプラスチックスです。
【図面の簡単な説明】
【０００７】
【図１】本考案に係わる鉢等の支柱の留め具を、鉢物に利用した状態の正面図である。
【図２】本考案に係わる鉢等の支柱の留め具の、断面図である。
【図３】本考案に係わる鉢等の支柱の留め具の、平面図である。
【図４】本考案に係わる鉢等の支柱の留め具の、底面図である。
【符号の説明】
【０００８】１    支柱カバーパイプ
２    支柱カバーパイプ
３    押えパッド
４    押えパッド
５    キャップ
６    穴
１０  鉢
２０  土
３０  支柱
Ｙ    花、野菜
【図１】
0003131002.tif 000003
【図２】
0003131002.tif 000004
【図３】
0003131002.tif 000005
【図４】
0003131002.tif 000006
(57)【要約】【課題】  救命行為で使用する三角巾１と、包帯２と、ガーゼ３と、人工呼吸用マスク４と、を一式揃えた場合、容積が大きくなり、携帯性が低い。また、従来の包装では水濡れに弱く、光線や空気中のガスとの接触による劣化も起こる。これらの不都合の解消等。【解決手段】  救命行為で使用する三角巾１と、包帯２と、ガーゼ３と、人工呼吸用マスク４と、をフルオープンエンドの蓋６を持つ飲料用と同規格の缶５に一式封入する事により、この課題を解決する。【選択図】図１
0003131010.tif 000002
【実用新案登録請求の範囲】
【請求項１】
救命行為に使用される三角巾と、包帯と、ガーゼと、人工呼吸用マスクと、を一式缶に封入した救命用品セット。
【考案の詳細な説明】
【技術分野】
【０００１】  本考案は、救命行為に使用する救命用品とそれを封入する缶に関する。
【背景技術】
【０００２】  従来の救命用品は、三角巾と、包帯と、ガーゼと、人工呼吸用マスクと、がそれぞれ個別に紙、又はプラスチック、又はビニールにより包装されていた。
【考案の開示】
【考案が解決しようとする課題】
【０００３】  しかし、これでは、一式を揃えた場合、紙、又はプラスチック、又はビニールによる包装は空気を多く含む為に容積が大きくなり、携帯性が低い。また、災害時の水濡れに弱く、光線や空気中のガスとの接触による劣化も起こる。本考案は、これらの不都合を解決する事を課題とする。
【課題を解決するための手段】
【０００４】  そこで、救命行為で使用する三角巾と、包帯と、ガーゼと、人工呼吸用マスクと、を飲料用と同規格の缶に一式封入する事を考案した。（図１）缶への封入により、全体の容積が圧縮され、携帯性が高まる。缶への封入により、内容物が水に濡れる事はない。光線は遮断され、空気中のガスと接触しない為、内容物の劣化も低減させる事ができる。
【考案の効果】
【０００５】  本考案の缶入り救命用品セットにより、携帯性が高まり、より多くの人が救命用品を携帯し、救命行為に活用する可能性を高める。また、飲料用と同規格の缶を使用する事で、清涼飲料水用の自動販売機を用いた販売が可能となり、夜間や無店舗地域での入手も容易になる。内容物が水に濡れず、光線や空気中のガスとの接触による劣化も起こさない事から、防災用品としての備蓄も容易となる。
【考案を実施するための最良の形態】
【０００６】  本考案に係る缶入り救命用品セットは、図１に示すように、三角巾１と、包帯２と、ガーゼ３と、人工呼吸用マスク４と、を飲料用と同サイズの缶５に一式封入している。缶の大きさは、封入する三角巾の枚数と、包帯の長さと、ガーゼの量と、人工呼吸用マスクの個数と、に応じて決めれば良い。ただし、飲料用の缶と同規格となるようにする。素材は、スチール、又はアルミニウムのいずれでも良い。缶の蓋６は、フルオープンエンドとし、内容物の取り出しを容易にする。
【図面の簡単な説明】
【０００７】
【図１】  本考案に係る缶入り救命用品セットの断面図である。
【符号の説明】
【０００８】  １    三角巾
２    包帯
３    ガーゼ
４    人工呼吸用マスク
５    缶
６    缶の蓋
【図１】
0003131010.tif 000003
(57)【要約】      （修正有）【課題】二行程エンジンのピストンに関し、燃料ガスを無駄にすることなく、９５％の掃気効果が実現できるという二行程エンジンのピストンを提供する。【解決手段】ピストン上部の掃気口に対向する箇所に円形の障壁を形成して、掃気口から吹き出す混合ガスまたは空気を垂直に筒頂部に吹き上げるようにして排気ガスだけを排出させるようにした二行程エンジンのピストンとした。【選択図】図３
0003131655.tif 000002
【実用新案登録請求の範囲】
【請求項１】
ピストン上部の掃気口に対向する箇所に円形の障壁を形成して、掃気口から吹き出す混合ガスまたは空気を垂直に筒頂部に吹き上げるようにして排気ガスだけを排出させるようにしたことを特徴とする二行程エンジンのピストン。
【請求項２】
ピストン上部の掃気口に対向する箇所に円形の障壁を形成し、前記障壁の掃気口側に凹部を凹設して、掃気口から吹き出す混合ガスまたは空気を垂直に筒頂部に吹き上げるようにして排気ガスだけを排出させるようしたことを特徴とする二行程エンジンのピストン。
【考案の詳細な説明】
【技術分野】
【０００１】
本考案は、二行程エンジンのピストンに関し、特に、掃気機構についてのものである。
【背景技術】
【０００２】
従来の二行程エンジンでは、通常運転で約６５％、アイドリングで２５％した排気ガスの掃気ができず、それぞれ３５％と７５％の燃料ガスが無駄に排気されていた。
【特許文献１】特開平１０−２５２４７９号公報
【考案の開示】
【考案が解決しようとする課題】
【０００３】
本考案では、上記のように燃料ガスを無駄にすることなく、９５％の掃気効果が実現できるというものである。
【課題を解決するための手段】
【０００４】
上記の事情に鑑み、本考案は、燃料ガスを無駄にすることなく、９５％の掃気効果を実現すべく、ピストン上部の掃気口に対向する箇所に円形の障壁を形成して、掃気口から吹き出す混合ガスまたは空気を垂直に筒頂部に吹き上げるようにして排気ガスだけを排出させるようにした二行程エンジンのピストンとした。
【０００５】
また、本考案は、燃料ガスを無駄にすることなく、９５％の掃気効果を実現すべく、ピストン上部の掃気口に対向する箇所に円形の障壁を形成し、前記障壁の掃気口側に凹部を凹設して、掃気口から吹き出す混合ガスまたは空気を垂直に筒頂部に吹き上げるようにして排気ガスだけを排出させるようした二行程エンジンのピストンとした。
【考案の効果】
【０００６】
本考案は、ピストン上部の掃気口に対向する箇所に円形の障壁を形成して、掃気口から吹き出す混合ガスまたは空気を垂直に筒頂部に吹き上げるようにして排気ガスだけを排出させるようにした二行程エンジンのピストンとしたので、燃料ガスを無駄にすることなく、９５％の掃気効果を実現することができる。
【０００７】
また、本考案は、ピストン上部の掃気口に対向する箇所に円形の障壁を形成し、前記障壁の掃気口側に凹部を凹設して、掃気口から吹き出す混合ガスまたは空気を垂直に筒頂部に吹き上げるようにして排気ガスだけを排出させるようした二行程エンジンのピストンとしたので、燃料ガスを無駄にすることなく、９５％の掃気効果を実現することができる。
【考案を実施するための最良の形態】
【０００８】
本考案を添付する図面の具体的な実施例に基づいて、以下詳細に説明する。
【０００９】
図１は二行程エンジンの掃気行程を説明する二行程エンジンの縦断面図、図２は二行程エンジンの掃気行程を説明する二行程エンジンの縦断面図、図３は二行程エンジンの掃気行程を説明する二行程エンジンの縦断面図、図４は本考案のピストンと掃気口の平面図、図５は本考案のピストンと掃気口の平面図である。
【００１０】
二行程エンジンの掃気方法は、図１に示すように、ピストン１の降下と共に排気口２が開き、排気ガス流３が排出される。すぐ後で掃気口４が開き、クランク室より送り込まれた燃料と空気の混合気体５がシリンダー１６に送り込まれる。図１のように既燃焼の排気ガスがシリンダー内でうまく回転しながら掃気されると良いが、実際には図２に示すように、一部の未燃焼の混合気体５が掃気口４から排気口２に直行してしまい、著しい燃料の無駄になるばかりでなく、出力不足や大気汚染の原因ともなっている。
【００１１】
本考案では、図３、図４、図５に示すように、ピストン１の上面に半円形の障壁６を掃気口４の前面に設け、掃気口４より吹き出してくる混合ガス８を障壁６に当てることによって、直角に向きを変えさせて、混合ガス流９のように垂直に筒頂に向けて吹き上げさせ、排気ガス口１０に遠いところに向けて未燃焼混合ガスが既燃焼排気ガスを押し下げるように仕向けることによって、排気ガスの排出効率を高める。排気口が２〜３箇所にある時は同じような障壁を設け、圧縮率を高める必要のある場合はこの障壁内に凹部７を凹設してピストン上部を高くすることによって、より効率を高めることができる。
【産業上の利用可能性】
【００１２】
本考案は、ピストン上部の掃気口に対向する箇所に円形の障壁を形成して、掃気口から吹き出す混合ガスまたは空気を垂直に筒頂部に吹き上げるようにして排気ガスだけを排出させるようにした二行程エンジンのピストンであるが、二行程ディーゼルエンジンのピストンにも利用が可能である。
【図面の簡単な説明】
【００１３】
【図１】二行程エンジンの掃気行程を説明する二行程エンジンの縦断面図である。
【図２】二行程エンジンの掃気行程を説明する二行程エンジンの縦断面図である。
【図３】本考案の二行程エンジンの掃気行程を説明する二行程エンジンの縦断面図である。
【図４】本考案のピストンと掃気口の平面図である。
【図５】本考案のピストンと掃気口の平面図である。
【符号の説明】
【００１４】
１…ピストン
４…掃気口
６…障壁
９…混合ガス流（混合ガスの例）
７…凹部
【図１】
0003131655.tif 000003
【図２】
0003131655.tif 000004
【図３】
0003131655.tif 000005
【図４】
0003131655.tif 000006
【図５】
0003131655.tif 000007
(57)【要約】【課題】軟質樹脂材で柔軟性を有するシートとして使用でき且つ簡単にメガネレンズをカバーすることが出来てメガネとシートがずれたり脱落したりすることを解決することを目的とし、小型軽量で携帯に便利なメガネ保護ケースを提供する。【解決手段】シリコーン樹脂材などの軟質樹脂材で出来たシート１に一対の第１の孔２を形成すると共に前記一対の第１の孔２からメガネレンズ載置部４を介して対向した位置に一対の第２の孔３を形成して、前記第１の孔２および第２の孔３にこのメガネのつる部分を挿入することでメガネレンズを保護することを特徴とするメガネ保護ケースである。【選択図】        図１
0003131656.tif 000002
【実用新案登録請求の範囲】
【請求項１】
軟質樹脂材で出来たシートに一対の第１の孔を形成すると共に前記一対の第１の孔からメガネレンズ載置部を介して対向した位置に一対の第２の孔を形成して、前記第１の孔および第２の孔にこのメガネのつる部分を挿入することでメガネレンズを保護することを特徴とするメガネ保護ケース。
【請求項２】
前記シートをシリコーン樹脂材でできたことを特徴とする請求項１記載のメガネ保護ケース。
【請求項３】
前記第１の孔および第２の孔の強度を増すため孔の周辺部分の肉厚を厚くしたことを特徴とする請求項１または請求項２記載のメガネ保護ケース。
【考案の詳細な説明】
【技術分野】
【０００１】
本考案は、小型軽量で携帯に便利なメガネ保護ケースに関する。
【背景技術】
【０００２】
メガネ保護ケースは従来より小型軽量で携帯に便利であることが要求されており、例えば、特許文献１のようにめがねの柄を布カバーのコーナーの穴に通し位置固定する簡易のめがねケースや特許文献２のように眼鏡拭き片主体の一部に眼鏡を収納して包み込む袋状収納部を附設した眼鏡拭き兼用眼鏡収納袋が提案されている。
【０００３】
【特許文献１】実開平３−３７９１１号公報
【特許文献２】実用新案登録第３００２０２２号公報
【０００４】
しかしながら、特許文献１のようにめがねの柄（つる部分）を布カバーのコーナーの穴に通す構成でありメガネレンズの収容位置が不安定であり、特許文献２のように眼鏡を収納して包み込む袋状収納部からメガネ脱落しやすいという問題がある。
【考案の開示】
【考案が解決しようとする課題】
【０００５】
本考案は、上記問題点を解消し軟質樹脂材で柔軟性を有するシートとして使用でき且つ簡単にメガネレンズをカバーすることが出来てメガネとシートがずれたり脱落したりすることを解決することを目的とする。
【課題を解決するための手段】
【０００６】
本考案のメガネ保護ケースは、軟質樹脂材で出来たシートに一対の第１の孔を形成すると共に前記一対の第１の孔からメガネレンズ載置部を介して対向した位
置に一対の第２の孔を形成して、前記第１の孔および第２の孔にこのメガネのつる部分を挿入することで、二つ折りにしてつる部分を孔に挿入する形態と三つ折りにしてつる部分を孔に挿入する形態とにケース状の形状に変わり携帯しやすくなりメガネレンズを保護することを特徴とする。
【０００７】
さらに、本考案のメガネ保護ケースは、前記シートをシリコーン樹脂材とすることを特徴とする。
【０００８】
さらに、前記第１の孔および第２の孔の強度を増すため孔の周辺部分の肉厚を厚くしたことを特徴とする。
【考案の効果】
【０００９】
本考案のメガネ保護ケースは、軟質樹脂材で出来たシートに一対の第１の孔を形成すると共に前記一対の第１の孔からメガネレンズ載置部を介して対向した位置に一対の第２の孔を形成して、前記第１の孔および第２の孔にこのメガネのつる部分を挿入するので、シート状の形状からなり簡単な形状で取り扱いが簡単で且つ、メガネのつる部分を孔に挿入する事でレンズを保護すると共に小型軽量で鞄やポケットに入れて携帯するときに便利である。
【考案を実施するための最良の形態】
【００１０】
本考案の実施例を図面を参照して以下説明する。
【００１１】
図１において、シリコーン樹脂材や軟質性のある樹脂材で出来た略矩形状のシート１の上端側の表面５Ａに一対の第１の孔２が形成されている。このシート１の下端側の表面６Ａに一対の第２の孔３が形成されており、この一対の第２の孔３は一対の第１の孔２と対向しており、一対の第１の孔２からメガネレンズ載置部４を介して対向した位置に一対の第２の孔３を形成してメガネレンズＢ（図２参照）の当たる部分と折り返す部分に分かれている。この場合、メガネレンズ載置部４はメガネレンズ保護のため厚みを他の部分よりも厚くしている。
【００１２】
図２および図３はメガネ保護ケースとして使用する状態を示す。メガネレンズ載置部４にメガネレンズＢを載置して後、矢印Ｐ方向に折り返して一対の第１の孔２と一対の第２の孔３とを重ねて、メガネＡのつる部分Ｃを第１の孔２と第２の孔３に挿入する（図３）。このようにシート１を二つ折りに折り返して重なり合わせるが、シート１をシリコーン樹脂材とする場合シート１の上端側の表面５Ａおよび下端側の表面６Ａのそれぞれの表面を鏡面にする事でマジックテープ（登録商標）やマグネットなどは使わずにシート１を重ね合わせて密着させることが出来て、且つ、つる部分Ｃを第１の孔２および第２の孔３に挿入することでメガネがケースからずれたり脱落することなく携帯が出来る。なお、このシート１に抗菌剤を添加して清潔に使用出来るよう種々素材の選定をしてもよい。
【００１３】
図４および図５はメガネ保護ケースとして異なる使用状態を示す。シート１を上記図２および図３の使用状態に用いる素材よりも大きくした形状として、メガネレンズ載置部４にメガネレンズを載置して後、第２の孔３のある部分を矢印Ｑ方
向に折り返し、次に第１の孔２のある部分を矢印Ｒ方向に折り返して一対の第１の孔２と一対の第２の孔３とを重ねて、メガネＡのつる部分Ｃを第１の孔２と第２の孔３に挿入する（図５）。このようにシート１を三つ折りに折り返すが、シート１をシリコーン樹脂材とする場合、上端側の表面５Ａおよび下端側の裏面６Ｂのそれぞれを鏡面とすることにより上端側の表面５Ａと下端側の裏面６Ｂとが密着しやすく折り返し操作がしやすい。
【図面の簡単な説明】
【００１４】
【図１】本考案の実施例のシートの斜視図を示す。
【図２】本考案の二つ折りにする場合のメガネ保護ケースを開いた状態の斜視図を示す。
【図３】本考案の二つ折りケースを使用した状態の斜視図を示す。
【図４】本考案の三つ折りにする場合のメガネ保護ケースを開いた状態の斜視図を示す。
【図５】本考案の三つ折りケースを使用した状態の斜視図を示す。
【符号の説明】
【００１５】
１  シート
２  第１の孔
３  第２の孔
４  メガネレンズ載置部
【図１】
0003131656.tif 000003
【図２】
0003131656.tif 000004
【図３】
0003131656.tif 000005
【図４】
0003131656.tif 000006
【図５】
0003131656.tif 000007
(57)【要約】      （修正有）【課題】アルミ製匙体の刃先の強度を向上すると共に、摩耗を極力防止できるアルミスコップを提供する。【解決手段】アルミ材にて形成した匙体２の表面側及び裏面側にステンレス板４、６を匙体全幅で匙体２先端縁より少し突き出た状態にてリベット５にて止着する。そして、匙体表面側のステンレス板４の先端部を匙体刃先側に折り曲げてその先端縁を匙体裏面側のステンレス板６に当接して溶接にて固着する。このように、アルミ製匙体２の刃先を覆うようにステンレス板４、６を取り付けることで、匙体２の刃先の強度向上と摩耗防止を図る。【選択図】図１
0003131691.tif 000002
【実用新案登録請求の範囲】
【請求項１】
アルミ材にて形成した匙体の刃先近くの表面側及び裏面側にステンレス板を匙体全幅で匙体刃先縁より少し突き出た状態にて止着すると共に、前記表面側のステンレス板の先端部を匙体刃先側に折り曲げてその先端縁を裏面側のステンレス板に当接して固着するようにしたことを特徴とするアルミスコップ。
【請求項２】
前記匙体の裏面側に止着したステンレス板の先端縁にギザギザ状の小凹凸部を多数形成したことを特徴とする請求項１記載のアルミスコップ。
【考案の詳細な説明】
【技術分野】
【０００１】
本考案は、除雪作業や食品取扱い作業等に使用されるアルミスコップに関する。
【背景技術】
【０００２】
除雪作業や食品取扱いに使用されるスコップはできるだけ軽量であることが好ましく、鋼製に代えてアルミ製や合成樹脂製のものとすることによってスコップの軽量化が図られる。
【特許文献１】特開２００６−１５２５８３号公報
【特許文献２】特開２００１−７３４００号公報
【考案の開示】
【考案が解決しようとする課題】
【０００３】
しかしながら、スコップの匙体を例えばアルミ製にすると軽量で使い勝手は良くなるが、除雪作業などの用途に使用されると匙体の刃先の強度がどうしても不足すると共に、摩耗しやすいなどの欠点がある。
【０００４】
本考案は上記の点に鑑み、アルミ製匙体の刃先の強度を向上すると共に、摩耗を極力防止できるアルミスコップを提供することを課題とする。
【課題を解決するための手段】
【０００５】
上記課題を解決するために、本考案の請求項１に係るアルミスコップでは、アルミ材にて形成した匙体の刃先近くの表面側及び裏面側にステンレス板を匙体全幅で匙体刃先縁より少し突き出た状態にて止着すると共に、前記表面側のステンレス板の先端部を匙体刃先側に折り曲げてその先端縁を裏面側のステンレス板に当接して固着するようにしたことを特徴としている。
【０００６】
また、請求項２に係るアルミスコップでは、前記匙体の裏面側に止着したステンレス板の先端縁にギザギザ状の小凹凸部を多数形成したことを特徴としている。
【考案の効果】
【０００７】
本考案の請求項１に係るアルミスコップによれば、アルミ材にて形成した匙体の刃先近くの表面側及び裏面側にステンレス板を匙体全幅で匙体刃先縁より少し突き出た状態にて止着すると共に、前記表面側のステンレス板の先端部を匙体刃先側に折り曲げてその先端縁を裏面側のステンレス板に当接して固着し、アルミ製匙体の刃先をステンレス板で覆うようにしたので、アルミ製匙体の刃先の強度を向上すると共に、摩耗を極力防止できる。
【０００８】
本考案の請求項２に係るアルミスコップによれば、前記匙体の裏面側に止着したステンレス板の先端縁にギザギザ状の小凹凸部を多数形成したので、例えば、除雪時に雪が堅くなっていても突き刺すことができて除雪作業を効果的に行うことができるなどの利点を有する。
【考案を実施するための最良の形態】
【０００９】
本考案のアルミスコップにあっては、アルミ材にて形成した匙体の刃先近くの表面側及び裏面側にステンレス板を匙体全幅で匙体刃先縁より少し突き出た状態にて止着する。そして、前記表面側のステンレス板の先端部を匙体刃先側に折り曲げてその先端縁を裏面側のステンレス板に当接して溶接等にて固着する。また、前記裏面側のステンレス板の先端縁にギザギザ状の小凹凸部を多数形成する。
【００１０】
このように、アルミ製匙体の刃先を覆うようにステンレス板を取り付けることで、匙体の刃先の強度向上と摩耗防止を期待することができる。また、匙体の裏面側に取り付けたステンレス板の先端部にギザギザ状の小凹凸部を多数形成することで、堅くなった雪でも突き刺して除雪することもできる。
【実施例１】
【００１１】
以下、本考案の一実施例を図面に基づいて説明する。
【００１２】
図中の１は軽量化を図ったアルミスコップであって、匙体２、該匙体２を取り付ける棒状の把柄３及び把柄３に取り付ける握り（図示せず）はアルミ材にて形成されている。
【００１３】
前記匙体２の刃先近くの表面側には匙体２より薄い、例えば厚み０．３ｍｍ程度のステンレス板４を匙体全幅で匙体２の刃先縁より少し突き出た状態にしてリベット５で止着している。また、匙体２の裏面側には前記ステンレス板４より少し厚い、例えば厚み０．５ｍｍ程度のステンレス板６を匙体全幅で匙体２刃先縁より少し突き出た状態にしてリベット５で止着している。
【００１４】
そして、図２に示すように、匙体表面側のステンレス板４の先端部４ａを匙体刃先側に折り曲げてその先端縁を匙体裏面側のステンレス板６に当接して溶接などにて固着する。なお、匙体裏面側のステンレス板６の先端部６ａは匙体２の刃先の代わりとなり、スコップとしての突き刺し機能も十分発揮できる。
【実施例２】
【００１５】
図３は、本考案のアルミスコップの他の実施例であって、匙体２の裏面側を覆うステンレス板６の面積をより多くして匙体２の強度向上と匙体２裏面側の摩耗防止を一層図るようにしている。また、匙体裏面側のステンレス板６の先端部の刃先部分にギザギザ状の小凹凸部７を多数形成している。
【００１６】
このように、匙体２の刃先を覆ってステンレス板を取り付けるので、アルミ製の匙体２の刃先の強度向上と摩耗防止が図れる。また、匙体２に取り付けたステンレス板６の先端部にギザギザ状の小凹凸部７を多数形成するので、堅くなった雪でも突き刺して除雪することもできる。
【図面の簡単な説明】
【００１７】
【図１】本考案に係るアルミスコップの一実施例を示す正面図である。
【図２】図１のＡ−Ａ線拡大断面図である。
【図３】本考案に係るアルミスコップの他の実施例を示す正面図である。
【符号の説明】
【００１８】
１…アルミスコップ                ２…匙体
３…把柄                          ４、６…ステンレス板
５…リベット                      ７…小凹凸部
【図１】
0003131691.tif 000003
【図２】
0003131691.tif 000004
【図３】
0003131691.tif 000005
(57)【要約】      （修正有）【課題】急な大雨やケガ・疾病などにより足部に外的刺激から足部全体を守りたい時等、簡易に股間部の隙間を埋めることができる防水・防寒・防塵服の提供。【解決手段】人体の膀胱部から股間を通り後腰までの長さの四角あるいは三角の生地を、人体両足の片足ずつを外側から包み股内側で結合させるためズボンやレインコート等の防水・防寒・防塵服を着用時にその衣内側膀胱部周辺に縫いつけた構造を持つズボンやレインコート等の防水・防寒・防塵服。【選択図】図２
0003131697.tif 000002
【実用新案登録請求の範囲】
【請求項１】
人体の膀胱部から股間を通り後腰までの長さの四角あるいは三角の生地を、人体両足の片足づつを外側から包み股内側で結合させるためズボンやレインコート等の防水防寒防塵服を着用時にその衣内側膀胱部周辺に縫いつけた構造を持つズボンやレインコート等の防水防寒防塵服。
【考案の詳細な説明】
【技術分野】
【０００１】
本考案は、ズボンやレインコート等の防水防寒防塵服に関するものである。
【背景技術】
【０００２】
参考として自身が出願した実願２００６−９２４６で片足づつ生地を足の外側から内側に包み内側で結束するという、穿く動作の必要性が無い特徴を持つズボンと、
これを応用し自身が出願した実願２００６−９２４７の防水防寒防塵服も長さが足首まで有る生地を後腰中央から垂直に生地最下点までスリットを入れ足部の内側で結合させたものであった。
【考案の開示】
【考案が解決しようとする課題】
【０００３】
解決しようとする問題点は、一般の穿く動作の必要なズボンに比べ、上記、私が出している実願２００６−９２４６と実願２００６−９２４７の特殊なズボンの構造上股間部に隙間ができ、その隙間から液体や風や埃等の進入を防げない構造であった。
【課題を解決するための手段】
【０００４】
膀胱部から股間を通り後腰までの長さの四角あるいは三角の生地を、人体両足の片足づつを外側から包み内側で結合させるためズボンやレインコート等の防水防寒防塵服を着用時のその衣内側膀胱部周辺に縫いつけ、必要に応じて簡易にマチを出し入れし股間部の隙間を埋め、股間部の隙間から液体や風や埃等の進入を防ぐ。
【考案の効果】
【０００５】
本考案は、急な大雨やケガ・疾病などにより足部に外的刺激から足部全体を守りたい時等、簡易に股間部の隙間を埋めるという利点がある。
【考案を実施するための最良の形態】
【０００６】
この考案の一実施形態を、図１〜３に示す。
以下、本考案の実施の形態について説明する。
四角い生地の（図１のロ）で右片腰から右片足を包む半筒状の生地と、四角い生地（図１のイ）で左片腰から左片足を包む半筒状の生地を向かい合わせ一つの筒状になった各半筒状の上部腰部（図１のＥ・Ｆ）で一方を結合させておきもう一方を係り部材で結合する、次に足部は右足部の半筒状長方向両辺（図１〜３のＢ・Ｄ）を右足内側で結合し、左足部の筒状長方向両辺（図１〜３のＡ・Ｃ）も左足内側で結合させズボン（図３）にし、そのズボンの左右半筒状長方向前辺（図２のＡ・Ｂ）上部（膀胱に相当する部分）に、股間部隙間を埋める布切れであるマチ（図面１〜２の（１））を付け必要に応じてこのマチを出し入れし股間部隙間を埋める。
【実施例】
【０００７】
この考案の一実施形態を、図４〜５に示す。
本考案は、上下続き筒状衣の、前側開閉部（図４・５のＧ・Ｈ）と後側腰部から垂直に足首裾まで開閉部（図４・５のＩ・Ｊ）を設け、各開閉部辺に係合部材を付け、各足部の前後の開閉部各辺（図４・５のＧ・Ｈ・Ｉ・Ｊ）を結合させ防水防寒防塵服とし、
その、防水防寒防塵服の前側開閉部（図４・５のＧ・Ｈ）の着用時膀胱に相当する部分）に、股間部隙間を埋める布切れであるマチ（図面１〜５の（１））を付けておき必要に応じてこのマチを出し入れし股間部隙間を埋める。
【図面の簡単な説明】
【０００８】
【図１】この考案の一実施形態を示す後方から見た展開的斜視図である。
【図２】この考案の一実施形態を示す後方から見た斜視図である。
【図３】従来技術を示す後方から見た斜視図である。（参考として自身が出願した実願２００６−９２４６の一実施形態を示す斜視図である。）
【図４】この考案の一実施形態を示す後方から見た斜視図である。
【図５】従来技術を示す後方から見た斜視図である。（参考として自身が出願した実願２００６−９２４７の一実施形態を示す斜視図である。）
【符号の説明】
【０００９】
（イ）（ロ）―――――――生地
Ａ・Ｂ・Ｃ・Ｄ―――――左右半筒状長方向辺
Ｅ・Ｆ―――――――――腰部
Ｇ・Ｈ―――――――――前面開放部
Ｉ・Ｊ―――――――――前面開放部
（１）―――――――隙間を埋める布切れマチ
【図１】
0003131697.tif 000003
【図２】
0003131697.tif 000004
【図３】
0003131697.tif 000005
【図４】
0003131697.tif 000006
【図５】
0003131697.tif 000007
(57)【要約】      （修正有）【課題】自動車において、咄嗟の場合にクラクションを鳴らせるようにハンドルの円環状内周にクラクションを設けたハンドル構造を提供する。【解決手段】クラクション４は、ハンドルリム２のハンドルスポーク３同士間の円環状内周面に沿って配置している。クラクション４を鳴らす場合は、押す、握ることにより、クラクション４の変形可能な被覆部材が凹み、センサが接触を検知して、電流、油圧、気圧等により作動し、警音を鳴らす。例えば、左右旋回動作の途中であっても、危険を感じたら前記ハンドルリム２の前記ハンドルスポーク３同士間の円環状内周面に沿ってクラクション４を配置しているので、指先で押す、握ることにより警音を鳴らすことができる。【選択図】図１
0003131675.tif 000002
【実用新案登録請求の範囲】
【請求項１】
ハンドルリムの円環状内周にクラクションを設けたことにより、あらゆる危機状況においてもハンドルに掛かる手を離さずに即警音を発することができることを特徴とするハンドル構造。
【請求項２】
前記ハンドルリムのハンドルスポーク同士間の円環状内周面に沿ってクラクションを配置していることを特徴とする請求項１記載のハンドル構造。
【請求項３】
前記クラクションは、指先の押圧により変形可能な柔軟部材又は硬度部材から形成され、身体で一番敏感な指先で押す、握ることによりセンサが接触を検知し電流、油圧、気圧等により作動することを特徴とする請求項１又は２記載のハンドル構造。
【考案の詳細な説明】
【技術分野】
【０００１】
本考案は、自動車において、咄嗟の場合にクラクションを鳴らせるようにハンドルの円環状内周にクラクションを設けたハンドル構造に関する。
【背景技術】
【０００２】
運転者には、自動車事故を防ぐために安全運転に勤めることが義務付けられている。
そのため、従来から危険を予防するために自動車ハンドルのハンドルスポーク（放射支承部分）にはクラクション（警音）が設けられている。
しかし、運転者はハンドル操作をするのでハンドルリム（円環部分）を握っているため、緊急時にはハンドルリム（円環部分）から手を離してクラクションを鳴らさなければならず、咄嗟の場合には何もできない状態になることが多い。
そのため、ハンドルのリム部分に光ファイバをコイル状に巻きつけて、ハンドルを強く握ることにより光ファイバセンサが作動してクラクションを鳴らせることが知られている（特許文献１を参照）。
この公知技術では、ハンドルから手を離さなくてもクラクションを鳴らせるので便利なものであるが、ハンドルのリム全体にコイル状に光ファイバを巻回しているのでハンドルを握る通常のハンドル操作で慣れや不慣れ、成熟や未熟などの個人差があり、例えば左右旋回操作の場合にクラクションを鳴らしてしまう場合などが想定され、実施利用可能性の低いものである。
【特許文献１】特表２０００−５００１０１号公報
【考案の開示】
【考案が解決しようとする課題】
【０００３】
本考案は、自動車において、咄嗟の場合にクラクションを鳴らせるようにハンドルの円環状内周にクラクションを設けたハンドル構造を提供することを目的とする。
【課題を解決するための手段】
【０００４】
本考案のハンドル構造は、ハンドルリムの円環状内周にクラクションを設けたことにより、あらゆる危機状況においてもハンドルに掛かる手を離さずに即警音を発することができるものである。
本考案のハンドル構造は、ハンドルリムのハンドルスポーク同士間の円環状内周面に沿ってクラクションを配置しているものである。
前記クラクションは、指先の押圧により変形可能な柔軟部材又は硬度部材から形成され、身体で一番敏感な指先で押す、握ることによりセンサが接触を検知し電流、油圧、気圧等により作動するものである。
【考案の効果】
【０００５】
本考案のハンドル構造は、ハンドルリムの円環状内周にクラクションを設けたものであるため、咄嗟の場合に危険を感じたらハンドルリムから手を離さずに運転している状態で指先で押す、握ることにより警音を鳴らすことができる効果がある。
【考案を実施するための最良の形態】
【０００６】
本考案のハンドル構造の一実施例を添付図面に基づいて、以下に説明する。
図１に示すように、自動車用ハンドル１は、円環状のハンドルリム２を有しており、該ハンドルリム２は放射状に延びる複数本、本実施例では３本のハンドルスポーク３を介して中央に配置されたハンドルハブ（図示せず）に接続されている。
前記ハンドルリム２の前記ハンドルスポーク３同士間の円環状内周面に沿って内周側にセンサ(図示せず)を有し、外側を指先の押圧により変形可能な柔軟部材又は硬度部材から形成された被覆部材５で被覆した二重構造のクラクション４を配置している。
前記クラクション４は、指先の押圧により変形可能な被覆部材５で覆われているので、押す(強く触れる)、握ることにより前記センサ(図示せず)が接触を検知し電流、油圧、気圧等により作動し、警音を鳴らす。
【０００７】
次に、本考案のハンドル構造の操作動作を添付図面に基づいて、以下に説明する。
通常、運転者はハンドル１のハンドルリム２を、指先を内側にして両手又は場合によっては片手で握る。
一方、クラクション４は、前記ハンドルリム２の前記ハンドルスポーク３同士間の円環状内周面に沿って配置している。
したがって、クラクション４を鳴らす場合は、指先（親指、人差し指、中指、薬指、小指）のどれかで押す、握ることにより、クラクション４の変形可能な被覆部材５が凹み、センサ(図示せず)が接触を検知して、電流、油圧、気圧等により作動し、警音を鳴らす。
咄嗟の場合や左右旋回動作の途中であっても、危険を感じたら前記ハンドルリム２の前記ハンドルスポーク３同士間の円環状内周面に沿ってクラクション４を配置しているので、ハンドルリム２から手を離すことなく指先を押す、握ることにより警音を鳴らすことができる。
【図面の簡単な説明】
【０００８】
【図１】本考案のハンドル構造の正面斜視図である。
【符号の説明】
【０００９】
１  ハンドル
２  ハンドルリム
３  ハンドルスポーク
４  クラクション
５  被覆部材
【図１】
0003131675.tif 000003
(57)【要約】【課題】誘導灯とスイッチソケットを結合し、使用の際に電源コンセントを別に探す必要はなく、また、発光ダイオードを緊急照明の光源として、緊急照明を供給するだけではなく実施もし易い誘導灯付スイッチソケットを提供する。【解決手段】本考案は、台座本体と、前記台座本体の上を覆うためのカバーと、前記台座本体内に設けられた回路基板と、前記回路基板に電気的に接続したスイッチボタンと、前記回路基板に電気的に接続され、一端が電源に接続した蓄電ユニットと、前記蓄電ユニットの他の端に電気的に接続され、回線を形成した少なくとも一つのＬＥＤとを含む誘導灯付スイッチソケットを提供する。【選択図】図１
0003131460.tif 000002
【実用新案登録請求の範囲】
【請求項１】
台座本体と、
前記台座本体の上を覆うためのカバーと、
前記台座本体内に設けられた回路基板と、
前記回路基板に電気的に接続したスイッチボタンと、
前記回路基板に電気的に接続され、一端が電源に接続した蓄電ユニットと、
前記蓄電ユニットの他の端に電気的に接続され、回線を形成した少なくとも一つのＬＥＤと、を含むことを特徴とする、
誘導灯付スイッチソケット。
【請求項２】
前記少なくとも一つのＬＥＤが、前記台座本体内の回路基板に設けられ、前記カバーには、前記少なくとも一つのＬＥＤに対応して開穴が設けられたことを特徴とする、請求項１に記載の誘導灯付スイッチソケット。
【請求項３】
前記少なくとも一つのＬＥＤが、前記台座本体の外へ延び出して設置されたことを特徴とする、請求項１に記載の誘導灯付スイッチソケット。
【請求項４】
前記蓄電ユニットが、バッテリであることを特徴とする、請求項１に記載の誘導灯付スイッチソケット。
【請求項５】
前記蓄電ユニットが、充電電池であることを特徴とする、請求項１に記載の誘導灯付スイッチソケット。
【考案の詳細な説明】
【技術分野】
【０００１】
本考案は、誘導灯付スイッチソケットに係わり、特に、台座本体内に蓄電ユニットが設けられ、該蓄電ユニットが少なくとも一つのＬＥＤに電気的に接続され、スイッチソケットまたは類似構造に適応できるものを指す。
【背景技術】
【０００２】
一般には、市場に見られた誘導灯が、常に階段口または部屋の壁面につけられ、そのランプ構造は台座内にバッテリが設置され、該バッテリは電力供給された時に充電し、停電の際にランプの電力源とする。
【０００３】
しかしながら、前記誘導灯が壁面につけられた時に、その電源線が電源コンセントを探して差込む必要があり、特に階段口に取付けられた時に、電源コンセントをより探し難い。
また、従来の誘導灯内に使用されている伝統的な電球は、その使用寿命が発光ダイオードより短く、発光ダイオードで従来の誘導灯内に使用されている伝統的な電球を代え、使用寿命が増加されるだけでなく電力消費も低下されるので、緊急照明の使用時間を延長できる。
【０００４】
これを鑑み、本考案の創作者は、誘導灯とスイッチソケットを結合し、使用の際に電源コンセントを別に探す必要はなく、また、発光ダイオードを緊急照明の光源として、緊急照明を供給するだけではなく実施もし易い誘導灯付スイッチソケットの提供を期し、専念な観察かつ研究をし、さらに学術理論の運用に合せ、合理的に設計且つ組み立てし消費者に提供することは、本考案が創作しようとする動機である。
【考案の開示】
【考案が解決しようとする課題】
【０００５】
本考案の主な目的は、誘導灯付スイッチソケットを提供し、台座本体内に蓄電ユニットが設けられ、該蓄電ユニットが少なくとも一つのＬＥＤに電気的に接続され、少なくとも一つのＬＥＤが電源供給されない時に緊急照明用のランプとして供えることにより、全体の実用性および便利性を向上させる。
【課題を解決するための手段】
【０００６】
前記目的を達成するため、本考案は、台座本体と、前記台座本体の上を覆うためのカバーと、前記台座本体内に設けられた回路基板と、前記回路基板に電気的に接続したスイッチボタンと、前記回路基板に電気的に接続され、一端が電源に接続した蓄電ユニットと、前記蓄電ユニットの他の端に電気的に接続され、回線を形成した少なくとも一つのＬＥＤとを含むことを特徴とする誘導灯付スイッチソケットを提供する。
【０００７】
本考案の他の特徴及び具体的な実施例は、後続の詳しく説明及び図示よりさらに了解できる。
【考案を実施するための最良の形態】
【０００８】
図１、図２を参照すると、本考案に係る誘導灯付スイッチソケットは、主に、台座本体１０と、カバー１１と、回路基板１２と、スイッチボタン１３と、蓄電ユニット１４（該蓄電ユニットがバッテリまたは他の充電電池を採用でき）と、少なくとも一つのＬＥＤ１５とを設置する。
該台座本体１０内に回路基板１２が設けられ、該回路基板１２がスイッチボタン１３に電気的に接続し、該蓄電ユニット１４が該回路基板１２に電気的に接続し、該蓄電ユニット１４の一端が電源２０に接続し、他の端が少なくとも一つのＬＥＤ１５に電気的に接続され回線を形成し、カバー１１上には少なくとも一つのＬＥＤ１５に対応して開穴１６が設けられ、該カバー１１を該台座本体１０上に覆い、よって、誘導灯付スイッチソケットを提供する。
【０００９】
図１〜図３を参照すると、本考案の特徴は、台座本体１０と、カバー１１と、回路基板１２と、スイッチボタン１３と、蓄電ユニット１４と、少なくとも一つのＬＥＤ１５との組合設計により、該台座本体１０内に蓄電ユニット１４が設けられ、該蓄電ユニット１４の一端が電源２０に接続し、他の端が少なくとも一つのＬＥＤ１５に電気的に接続され回線を形成することによって、該蓄電ユニット１４が平時に電源供給された時に充電し、停電の際に少なくとも一つのＬＥＤ１５に電力を与え、該少なくとも一つのＬＥＤ１５を誘導灯として、一組の誘導灯および電源コンセントを別に設置することが避けられ、使用上の便利性及び美観性を向上させる。
また、図３を参照すると、使用の際にも少なくとも一つのＬＥＤ１５を該回路基板１２に電気的に接続させてから、該少なくとも一つのＬＥＤ１５を台座本体１０の外部へ延び出して設置でき、よって、使用者が必要とする位置に応じて該少なくとも一つのＬＥＤ１５を装着でき、実用性及び便利性を向上させる。
【００１０】
しかし、前記に開示された構成は、単に本考案の好ましい実施例に過ぎなく、本考案の特徴を局限するものではなく、いずれの当該分野における通常の知識を有する専門家が本考案の分野の中で、適当に変換や修飾などを実施できるが、それらの実施のことが本考案の主張範囲内に納入されるべきことは言うまでもないことである。
【図面の簡単な説明】
【００１１】
【図１】本考案に係る実施例の斜視外観図である。
【図２】本考案に係る実施例の平面図である。
【図３】本考案に係る第２実施例の平面図である。
【符号の説明】
【００１２】
１０    台座本体
１１    カバー
１２    回路基板
１３    スイッチボタン
１４    蓄電ユニット
１５    ＬＥＤ
１６    開穴
２０    電源
【図１】
0003131460.tif 000003
【図２】
0003131460.tif 000004
【図３】
0003131460.tif 000005
(57)【要約】【課題】栽培時には安価なプラスチック鉢を使用し、出荷時や展示会前に高級鉢内にプラスチック鉢をはめ込むことにより、「植物の痛みと植え替えの労力」を大幅に軽減することを課題とする。【解決手段】  上の課題を解決するために、縁部分a3内周下部に結合部c3を設け、この結合部c3に凹部分e3、胴部分b3上部内壁に凸部分d3を設け、縁部分下部の結合部c3を胴部分b3上部内側に嵌め込んで回転をさせ、凹部分e3と凸部分d3の位置をずらせることにより、縁部分a3と胴部分b3の結合及び再分離が可能となった。【選択図】図３
0003131472.tif 000002
【実用新案登録請求の範囲】
【請求項１】
縁部分の内周下部に短円筒形又は短円筒形の一部を切除した形状の結合部を設け、この結合部外壁に凹又は凸部分を設け、胴部分上部内壁には結合部に対応する凸又は凹部分を設け、又は結合部外壁と胴部分上部内壁にネジ状の凹凸を設けて、縁部分下部の結合部を胴部分の内側に嵌め込んで回転をさせて、縁部分と胴部分とを結合し、必要時には分離が可能という構造を有する植物育成用の鉢。
【考案の詳細な説明】
【技術分野】
【０００１】
この考案は縁部分と胴部分に分離でき、必要に応じて再結合も可能な植物育成用の鉢の形状及び構造に関するものである。
【背景技術】
【０００２】
従来から一般園芸の場合は、栽培時に安価なプラスチック鉢で育て、出荷時にその鉢を高級鉢の内部にはめ込むという方法は存在していたが、東洋蘭栽培の場合は上部に大きいリング状の「縁」(通風を良くするために二本の水平な棒で挟んで、吊り下げられる形状に作られている)が付けられた蘭専用鉢を使用するため、高級鉢の「縁」の上部に更にプラスチック鉢の「縁」がはみ出して、美観を損ねるという大きな欠点があったため、実際には実施されることはなかった。
【考案の開示】
【考案が解決しようとする課題】
【０００３】
従来の東洋蘭栽培用の鉢は信楽焼(焼き物の一種)等の高級な鉢であったが、最近は安価で通気穴もあり栽培安易なプラスチック製の鉢が多用されるようになっている。しかしプラスチック鉢は高級感や品格の点では劣るため、販売時や展示会直前には高級鉢に植え替える必要があった。そこで、この考案では特殊構造のプラスチック鉢を使用して育成し、販売時や展示会直前に、図６のように高級鉢の内側に本考案の鉢の一部分(胴部分)のみをはめ込む方法により、「植物の植え痛み」と「植え替え時の労力」を極度に軽減すると共に、「構造や操作が簡単」で「美的にも美しい」形状にすることを課題とする。
【課題を解決するための手段】
【０００４】
以上の課題を解決するために、本考案では図１のように縁部分aの内周下部に結合部cを設け、この結合部c外壁に凹部分eを設け、胴部分bの上部内壁には凸部分dを設け、縁部分内周下部の結合部cを胴部分bの内側に嵌め込んで回転をさせ、凹凸の位置を合致させることにより縁部分と胴部分とを結合し、また凹凸の位置をずらせることにより再分離が可能という構造を有する植物育成用の鉢である。
【考案の効果】
【０００５】
本考案の鉢では縁部分aと胴部分bの分離と再結合が可能であるため、栽培時は縁部分aと胴部分bを結合させた鉢(プラスチック製)で育て、出荷販売時や展示会直前には縁部分aと胴部分bを分離して、図６のように胴部分bのみを高級鉢内に直接はめ込むことにより、「美的にも優れる」と共に「植え替えによる植物の痛み」と「植え替え時の労力」を極度に軽減することが可能となった。
【考案を実施するための最良の形態】
【０００６】
この考案の一実施形態を、図３で示す。縁部分a3の内周下部に胴部分と連結するための結合部c3を設け、この結合部c3に帯状の凹部分e3、胴部分b3の上部内壁に帯状の凸部分d3を設け、縁部分の下部結合部c3を胴部分b3の上部内側に嵌め込んで回転をさせ、縁部分と胴部分とを結合し、また必要時には再分離が可能という構造を有する植物育成用の鉢である。
「実施形態の効果」
【０００７】
この実施形態によれば、結合部c3と胴部分b3に凹凸を設け、回転をさせるだけで縁部分の分離と再結合が可能となり、美感も損なわず、構造も簡単という利点がある。また縁部分a3を回転させると簡単に縁部分a3と胴部分b3を分離できるので、出荷や展示会前の限られた短時間の中で胴部分b3だけを高級鉢内部にはめ込むことができる。なお図３の縁部分a3下部のリング状の輪f3は、縁部分や結合時の胴部分の強度を高める働きをする。
「他の実施形態」
【０００８】
以下は他の実施形態の例である。
図１、図３では結合部c、c3及び胴部分の膨らみd、d3の数はそれぞれ２個ずつになっているが、必要に応じて数を増やしたり、更には結合部全体を連続した短円筒形(この場合、胴部分に縁部分下部の結合部を嵌め込んだ時にぶつかり合う箇所は一部分切除する必要がある)にすることも可能である。図５は短円筒形の結合部にネジ状の凹凸を設けた場合の実施例であるが、結合部外壁と胴部分内壁の凹凸の一部分を図１と似た形状に切除して、短円筒形を不連続にしても結合と分離が可能である。なおこれらの「短円筒形の結合部」は植物の生長活動に全く影響を与えず、縁部分と胴部分を結合させるための１部品であり、また鉢の外側に直接、露出しないので、外部からは全く見えない「縁部分の下部付属物」であって、植物を育てるための容器、即ち「鉢」ではない。
【産業上の利用可能性】
【０００９】
東洋蘭栽培場等での展示や出荷時の労力軽減に大いに寄与すると思われる。
【図面の簡単な説明】
【００１０】
【図１】本考案の原理を示す斜視図
【図２】本考案の原理を示す断面図
【図３】本考案の一実施形態を示す斜視図
【図４】本考案の一実施形態を示す断面図
【図５】本考案の一実施形態を示す斜視図
【図６】東洋蘭栽培における実施例の断面図
【符号の説明】
【００１１】
a、a3、a5  ：  縁部分
b、b3、b5  ：  胴部分
c、c3、c5  ：  縁部分内周下部の結合部
ｄ、ｄ3  ：  胴部分内周の帯状の膨らみ
ｅ、ｅ3  ：  結合部の外周側面の凹み
ｄ5  ：  胴部分のネジ状の凹凸
ｅ5  ：  結合部のネジ状の凹凸
f  3   ：  補強用のリング状の輪
【図１】
0003131472.tif 000003
【図２】
0003131472.tif 000004
【図３】
0003131472.tif 000005
【図４】
0003131472.tif 000006
【図５】
0003131472.tif 000007
【図６】
0003131472.tif 000008